Podtech/llm-jp-corpus-v4-ja_patent huggingface dataset:
【手続補正書】
【提出日】平成27年12月28日(2015.12.28)
【手続補正１】
【補正対象書類名】特許請求の範囲
【補正対象項目名】全文
【補正方法】変更
【補正の内容】
【特許請求の範囲】
【請求項１】
主電源の電源電圧が所定の基準電圧を超える場合には前記主電源を使用して所定の電位を超える信号を第１の制御信号として出力する第１の制御信号出力部と、
前記第１の制御信号の電位が前記所定の電位を超えない場合には電池からの予備電源を使用して前記所定の電位を超える信号を第２の制御信号として出力する第２の制御信号出力部と、
前記第１の制御信号が前記所定の電位を超える場合には前記主電源を出力し、前記第２の制御信号が前記所定の電位を超える場合には前記予備電源を出力する電源出力部と
を具備する電源切替回路。
【請求項２】
前記電源出力部は、
前記第１および第２の制御信号のいずれか一方である主電源側制御信号の電位が前記所定電位を超えるか否かに応じて前記主電源の出力または遮断を行う主電源側出力部と、
前記第１および第２の制御信号の他方である予備電源側制御信号の電位が前記所定電位を超えるか否かに応じて前記予備電源の出力または遮断を行う予備電源側出力部とを備える請求項１記載の電源切替回路。
【請求項３】
前記予備電源側出力部は、
第１の予備電源側寄生ダイオードが形成されて前記予備電源側制御信号の電位が前記所定電位を超えるか否かにより前記予備電源の出力または遮断を行う予備電源側制御トランジスタと、
前記第１の予備電源側寄生ダイオードが電流を抑制する方向に対して逆の方向に電流を抑制する第２の予備電源側寄生ダイオードが形成される予備電源側整流トランジスタとを備える請求項２記載の電源切替回路。
【請求項４】
前記主電源側出力部は、
第１の主電源側寄生ダイオードが形成されて前記主電源側制御信号の電位が前記所定電位を超えるか否かにより前記主電源の出力または遮断を行う主電源側制御トランジスタと、
前記第１の主電源側寄生ダイオードが電流を抑制する方向に対して逆の方向に電流を抑制する第２の主電源側寄生ダイオードが形成される主電源側整流トランジスタとを備える請求項２または３記載の電源切替回路。
【請求項５】
前記第１および第２の制御信号の一方を他方に対して遅延させる遅延部をさらに具備する請求項１記載の電源切替回路。
【請求項６】
前記第１の制御信号出力部は、前記電源電圧が前記基準電圧を超えない場合には所定の電位を超えない信号を前記第１の制御信号として出力し、
前記第２の制御信号出力部は、前記第１の制御信号の電位が前記所定の電位を超える場合には前記所定の電位を超えない信号を前記第２の制御信号として出力する請求項１から４のいずれかに記載の電源切替回路。
【請求項７】
主電源を使用して前記主電源を検出して検出信号を出力する電圧検出器と、
前記電圧検出器により出力された前記検出信号を電池からの予備電源を使用して反転して反転信号として出力するインバータと、
前記検出信号および前記反転信号の一方に基づいて前記主電源を出力または遮断する主電源側制御トランジスタと、
前記検出信号および前記反転信号の他方に基づいて前記予備電源を出力または遮断する予備電源側制御トランジスタと
を具備する電源切替回路。
【請求項８】
主電源を供給する主電源供給部と、
予備電源を供給する電池と、
前記主電源の電源電圧が所定の基準電圧を超える場合には前記主電源を使用して所定の電位を超える信号を第１の制御信号として出力する第１の制御信号出力部と、
前記第１の制御信号の電位が前記所定の電位を超えない場合には前記予備電源を使用して前記所定の電位を超える信号を第２の制御信号として出力する第２の制御信号出力部と、
前記第１の制御信号が前記所定の電位を超える場合には前記主電源を出力し、前記第２の制御信号が前記所定の電位を超える場合には前記予備電源を出力する電源出力部と
を具備する電子機器。
【請求項９】
第１の制御信号出力部が、主電源の電源電圧が所定の基準電圧を超える場合には前記主電源を使用して所定の電位を超える信号を第１の制御信号として出力する第１の制御信号出力手順と、
第２の制御信号出力部が、前記第１の制御信号の電位が前記所定の電位を超えない場合には電池からの予備電源を使用して前記所定の電位を超える信号を第２の制御信号として出力する第２の制御信号出力手順と、
電源出力部が、前記第１の制御信号が前記所定の電位を超える場合には前記主電源を出力し、前記第２の制御信号が前記所定の電位を超える場合には前記予備電源を出力する出力制御手順と
を具備する電源切替回路の制御方法。
【手続補正書】
【提出日】平成28年2月26日(2016.2.26)
【手続補正１】
【補正対象書類名】特許請求の範囲
【補正対象項目名】請求項２
【補正方法】変更
【補正の内容】
【請求項２】
直流から交流、もしくは交流から直流に変換する電力変換回路であって、ダイオードが逆並列接続された半導体スイッチ素子からなる半導体スイッチを複数個使用して構成され、１相分の回路として、正極端子と負極端子と中間端子を備えた直流電源回路の正側端子と負側端子との間に接続された、前記半導体スイッチを複数個直列接続した第１の半導体スイッチ群と、第１〜第４の半導体スイッチと、半導体スイッチを複数個直列接続した第２の半導体スイッチ群と、をこの順に直列に接続した第１の半導体スイッチ直列回路と、前記第１の半導体スイッチ直列回路の前記第１の半導体スイッチ群と第１の半導体スイッチとの接続点と第４の半導体スイッチと前記第２の半導体スイッチ群との接続点との間に接続された第５〜第８の半導体スイッチを直列接続した第２の半導体スイッチ直列回路と、前記第２の半導体スイッチ直列回路と並列接続された第１のコンデンサと、前記第２の半導体スイッチと第３の半導体スイッチとの直列回路と並列に接続された第２のコンデンサと、前記第６の半導体スイッチと第７の半導体スイッチとの直列回路と並列に接続された第３のコンデンサと、前記第６の半導体スイッチと第７の半導体スイッチとの直列接続点と前記直流電源回路の中間端子との間に接続された双方向性のスイッチングが可能な双方向スイッチと、を備え、前記第２の半導体スイッチと前記第３の半導体スイッチとの直列接続点を交流端子としたマルチレベル電力変換回路において、前記双方向スイッチを構成する半導体スイッチ素子を少なくとも２個同じ通流方向に直列接続することを特徴とするマルチレベル電力変換回路。
【手続補正２】
【補正対象書類名】明細書
【補正対象項目名】０００７
【補正方法】変更
【補正の内容】
【０００７】
これら回路群が１相分（Ｕ相）となり，３台接続することで３相（Ｕ相、Ｖ相、Ｗ相）のインバータが構成可能となる。ＬＭが本システムの負荷例である交流電動機である。本回路構成とすることで，変換器の交流出力端子の電位は，Ｐ電位，Ｎ電位，Ｍ電位，およびスイッチ素子のオンオフとコンデンサＣ１の電圧を利用してＰ−ＥｄとＮ＋Ｅｄの電位を出力することが可能となるため，５レベル出力のインバータとなる。図８に出力電圧（Ｖｏｕｔ）波形例を示す。本方式は一般的な２レベルタイプのインバータに対して，低次の高調波成分が少ないことや，スイッチ素子のスイッチング損失が低減することから，高効率システムの構築が可能となる。
【手続補正３】
【補正対象書類名】明細書
【補正対象項目名】０００８
【補正方法】変更
【補正の内容】
【０００８】
また図９，図１０には，図６の５レベルの変換回路などのマルチレベル変換回路の基本形となる回路を示す。図９は図６の回路における半導体スイッチＳ２とＳ３とを除き，半導体スイッチＳ１ａ〜Ｓ１ｃとＳ４ａ〜Ｓ４ｃをそれぞれ一つのスイッチ（Ｑ１、Ｑ４）とした構成である。また図１０は，図６における半導体スイッチＳ５とＳ１１、Ｓ１２の機能を双方向スイッチＢＳ１に、また半導体スイッチＳ６とＳ１１、Ｓ１２の機能を双方向半導体スイッチＢＳ２とした構成である。図９の端子部ＴＡ１，ＴＢ１，または図１０の端子部ＴＡ２，ＴＢ２に，半導体スイッチ素子などからなる変換回路を追加することで５レベル以上のマルチレベル化が可能となる（図６は半導体スイッチＳ２とＳ３を接続した例である）。
【手続補正４】
【補正対象書類名】明細書
【補正対象項目名】００１４
【補正方法】変更
【補正の内容】
【００１４】
ところが何かの原因で双方向スイッチを構成するＩＧＢＴＳ１２が短絡状態で破壊した場合，半導体スイッチＳ４ａ〜Ｓ４ｃがオンした時，図１２に破線で示すように，フライングキャパシタＣ１を経由して直流電源ＤＰ２を短絡する電流が流れる。この電流は直流電源ＤＰ２→ＩＧＢＴＳ１２→半導体スイッチＳ５のダイオード→コンデンサＣ１→半導体スイッチＳ４ａ〜Ｓ４ｃ→直流電源ＤＰ２の経路となる。また、ＩＧＢＴＳ１１が短絡状態で破壊した場合は、図１３に破線で示すように，半導体スイッチＳ１ａ〜Ｓ１ｃがオンした時に，フライングキャパシタＣ１を経由した直流電源ＤＰ１を短絡する電流が流れる。この電流は直流電源ＤＰ１→半導体スイッチＳ１ａ〜Ｓ１ｃ→コンデンサＣ１→半導体スイッチＳ６のダイオード→ＩＧＢＴＳ１１→直流電源ＤＰ１の経路となる。
【手続補正５】
【補正対象書類名】明細書
【補正対象項目名】００１９
【補正方法】変更
【補正の内容】
【００１９】
第２の発明においては、直流から交流、もしくは交流から直流に変換する電力変換回路であって、ダイオードが逆並列接続された半導体スイッチ素子からなる半導体スイッチを複数個使用して構成され、１相分の回路として、正極端子と負極端子と中間端子を備えた直流電源回路の正側端子と負側端子との間に接続された、前記半導体スイッチを複数個直列接続した第１の半導体スイッチ群と、第１〜第４の半導体スイッチと、半導体スイッチを複数個直列接続した第２の半導体スイッチ群と、をこの順に直列に接続した第１の半導体スイッチ直列回路と、前記第１の半導体スイッチ直列回路の前記第１の半導体スイッチ群と第１の半導体スイッチとの接続点と第４の半導体スイッチと前記第２の半導体スイッチ群との接続点との間に接続された第５〜第８の半導体スイッチを直列接続した第２の半導体スイッチ直列回路と、前記第２の半導体スイッチ直列回路と並列接続された第１のコンデンサと、前記第２の半導体スイッチと第３の半導体スイッチとの直列回路と並列に接続された第２のコンデンサと、前記第６の半導体スイッチと第７の半導体スイッチとの直列回路と並列に接続された第３のコンデンサと、前記第６の半導体スイッチと第７の半導体スイッチとの直列接続点と前記直流電源回路の中間端子との間に接続された双方向性のスイッチングが可能な双方向スイッチと、を備え、前記第２の半導体スイッチと前記第３の半導体スイッチとの直列接続点を交流端子としたマルチレベル電力変換回路において、前記双方向スイッチを構成する半導体スイッチ素子を少なくとも２個同じ通流方向に直列接続する。
【手続補正書】
【提出日】平成28年10月26日(2016.10.26)
【手続補正１】
【補正対象書類名】明細書
【補正対象項目名】０００５
【補正方法】削除
【補正の内容】
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
【特許文献１】特開２０１０−３５６６６号公報
【手続補正４】
【補正対象書類名】明細書
【補正対象項目名】０００８
【補正方法】変更
【補正の内容】
【０００８】
しかしながら、特許文献１に記載の遊技機のような演出は周知であり、同様の構成では、遊技に対する飽きが生じてしまい、遊技興趣の低下を招く虞がある。
【手続補正５】
【補正対象書類名】明細書
【補正対象項目名】０００９
【補正方法】変更
【補正の内容】
【０００９】
そこで、本発明は、このような事情に鑑みてなされたものであり、その目的は、遊技興趣の低下を抑制することが可能となる遊技機を提供することにある。
【手続補正６】
【補正対象書類名】明細書
【補正対象項目名】００１０
【補正方法】変更
【補正の内容】
【００１０】
請求項１に係る遊技機は、
遊技媒体を用いて遊技が行われる遊技機であって、
遊技に関する所定の演出画像を表示可能な演出表示装置と、
所定条件の成立に基づいて利益付与に関する抽選を行う抽選手段と、
前記抽選に関する保留画像を前記演出表示装置に表示する保留数表示手段と、
可動することにより前記演出表示装置の一部を隠蔽可能な可動部と、
前記抽選の結果に基づいて、前記演出表示装置及び前記可動部による演出の進行を制御する演出制御手段と、
を備え、
前記演出制御手段は、
前記可動部を可動することにより前記演出表示装置に表示される前記保留画像を隠すことが可能である
ことを特徴とする。
また、別発明として、以下の手段でもよい。
［手段１］
手段１に係る遊技機は、
遊技者の操作によって遊技媒体が打ち込まれる遊技領域と、
該遊技領域の後端を区画し、前後方向へ貫通した開口部を有する板状の遊技パネルと、
該遊技パネルの後側に配置されると共に、前記開口部を通して遊技者側から視認可能に配置され、所定の画像を表示可能な表示パネルを有した演出表示手段と、
前記遊技パネルの前面で前記遊技領域内の所定位置に配置され、遊技媒体を受入可能とされた始動口と、
該始動口への遊技媒体の受入れに応じて所定の抽選結果を抽選する抽選手段と、
該抽選手段によって抽選された前記抽選結果を所定時間かけて遊技者に示唆する抽選演出画像を前記演出表示手段に表示させる抽選結果示唆手段と、
該抽選結果示唆手段によって前記演出表示手段に特定の抽選結果が示唆されると、遊技者が有利となる有利遊技状態を発生させる有利遊技状態発生手段と、
該有利遊技状態発生手段による有利遊技状態の発生中、又は、前記抽選結果示唆手段による前記抽選結果の示唆中を含む前記抽選結果示唆手段で前記抽選結果の示唆を開始することができない時に、前記始動口への遊技媒体の受入れに応じて前記抽選手段で抽選された前記抽選結果の示唆を、前記抽選結果示唆手段で示唆の開始が可能となるまで所定数保留する保留手段と、
前記演出表示手段の前記表示パネルに設定された保留数表示領域において、前記保留手段によって保留された前記抽選結果の保留数に対応させて保留されていることを表す保留画像を表示させる保留数表示手段と、
前記遊技パネルと前記演出表示手段の前記表示パネルとの間に配置され、前記抽選結果に応じて前記表示パネルの少なくとも一部を被覆可能とされた可動体と、
を備えたものであって、上記課題を解決するために、
前記可動体は、
前後方向における前記表示パネルの前記保留数表示領域の前方において可動しているときに前記保留数表示領域を遊技者から視認不可能とする保留表示隠蔽領域と、
前記保留数表示領域の前方において可動停止したときに前記保留数表示領域を遊技者から視認可能とする保留表示隠蔽禁止領域と、を有しており、
前記保留数表示領域において前記保留数に対応した保留画像が第１の保留画像で表示されているときに、
前記可動体が、前記保留数表示領域の前方に位置していない退去位置から可動され、前記保留数表示領域の前方に位置する進出位置で可動停止されることで、前記第１の保留画像が前記保留表示隠蔽領域によって一時的に遊技者から視認不可能な状態とされた後、前記保留表示隠蔽禁止領域を通じて前記第１の保留画像が遊技者から視認可能とされ、
前記保留表示隠蔽禁止領域を通じて前記第１の保留画像が遊技者から視認可能とされた状態で、前記可動体が、前記進出位置から可動されると、前記第１の保留画像が前記保留表示隠蔽領域によって一時的に遊技者から視認不可能な状態とされ、さらに前記可動体が前記退去位置に可動するときに、前記第１の保留画像または前記第１の保留画像とは異なる表示態様の第２の保留画像が出現して遊技者から視認可能とされる、
ことを特徴とする。
【手続補正７】
【補正対象書類名】明細書
【補正対象項目名】００１９
【補正方法】変更
【補正の内容】
【００１９】
請求項１に係る遊技機によれば、遊技興趣の低下を抑制することが可能となる。
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】特許請求の範囲
【補正対象項目名】全文
【補正方法】変更
【補正の内容】
【特許請求の範囲】
【請求項１】
遊技媒体を用いて遊技が行われる遊技機であって、
遊技に関する所定の演出画像を表示可能な演出表示装置と、
所定条件の成立に基づいて利益付与に関する抽選を行う抽選手段と、
前記抽選に関する保留画像を前記演出表示装置に表示する保留数表示手段と、
可動することにより前記演出表示装置の一部を隠蔽可能な可動部と、
前記抽選の結果に基づいて、前記演出表示装置及び前記可動部による演出の進行を制御する演出制御手段と、
を備え、
前記演出制御手段は、
前記可動部を可動することにより前記演出表示装置に表示される前記保留画像を隠すことが可能である
ことを特徴とする遊技機。
【請求項２】
請求項１に記載の遊技機において、音の出力にかかる制御を行う音出力制御手段をさらに備えることを特徴とする遊技機。
【請求項３】
請求項１または２に記載の遊技機において、遊技結果に応じて遊技者に遊技価値を付与可能な遊技価値付与手段をさらに備えることを特徴とする遊技機。
【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
照明光を出射する出射端を有する発光部と、
所定の軸を中心とする周方向に配置され、前記出射端から入射された前記照明光を表面から出射する光学部材と、
該光学部材の半径方向内側の表面に隣接して設けられ、前記照明光を半径方向外方へ反射する反射層とを備え、
前記光学部材が、前記所定の軸に沿う方向の一端側から順に導光層と拡散層とを備え、
前記導光層は、前記出射端から前記所定の軸に沿う方向に前記照明光が入射されるとともに該照明光を導光し、
前記拡散層は、前記導光層から入射された前記照明光を拡散させながら導光する照明装置。
【請求項２】
前記出射端の形状が、円形、楕円、多角形、または、扇形である請求項１に記載の照明装置。
【請求項３】
前記光学部材が、周方向の一部分を長手方向に切り欠いてなる切欠部を有する略筒状である請求項１または請求項２に記載の照明装置。
【請求項４】
前記所定の軸を中心とする前記周方向に配列される複数の前記光学部材を備え、
該各光学部材が、半径方向内側に平坦な側面を有する柱状であり、
前記反射層が、前記平坦な側面に設けられる請求項１または請求項２に記載の照明装置。
【請求項５】
前記光学部材が、前記拡散層の、前記所定の軸に沿う方向の他側に、もう１つの導光層を備える請求項１から請求項４のいずれかに記載の照明装置。
【請求項６】
前記導光層が、前記照明光に対し、前記拡散層よりも弱い拡散作用を有する請求項１から請求項５のいずれかに記載の照明装置。
【請求項７】
前記光学部材が、リング形状を有する請求項１から請求項６のいずれかに記載の照明装置。
【請求項８】
前記所定の軸を中心とする前記周方向に配列される複数の前記光学部材を備え、
該各光学部材が、半径方向内側に前記所定の軸を中心に湾曲した側面を有する略馬蹄形状を有する柱状であり、
前記反射層が、前記湾曲した側面に設けられている請求項３に記載の照明装置。
【請求項９】
照明光を出射する出射端を有する発光部と、
所定の軸を中心とする周方向に配置され、前記出射端から入射された前記照明光を表面から出射する光学部材と、
該光学部材の半径方向内側の表面よりも内側に設けられ、前記照明光を半径方向外方へ反射する反射層とを備え、
前記光学部材が、前記所定の軸に沿う方向の一端側から順に導光層と拡散層とを備え、
前記導光層は、前記出射端から前記所定の軸に沿う方向に前記照明光が入射されるとともに該照明光を導光し、
前記拡散層は、前記導光層から入射された前記照明光を拡散させながら導光する照明装置。
【手続補正２】
【補正対象書類名】明細書
【補正対象項目名】０００６
【補正方法】変更
【補正の内容】
【０００６】
上記目的を達成するため、本発明は以下の手段を提供する。
本発明は、照明光を出射する出射端を有する発光部と、所定の軸を中心とする周方向に配置され、前記出射端から入射された前記照明光を表面から出射する光学部材と、該光学部材の半径方向内側の表面に隣接して設けられ、前記照明光を半径方向外方へ反射する反射層とを備え、前記光学部材が、前記所定の軸に沿う方向の一端側から順に導光層と拡散層とを備え、前記導光層は、前記出射端から前記所定の軸に沿う方向に前記照明光が入射されるとともに該照明光を導光し、前記拡散層は、前記導光層から入射された前記照明光を拡散させながら導光する照明装置を提供する。
【手続補正３】
【補正対象書類名】明細書
【補正対象項目名】００１１
【補正方法】変更
【補正の内容】
【００１１】
また、上記発明においては、前記所定の軸を中心とする前記周方向に配列される複数の前記光学部材を備え、該各光学部材が、半径方向内側に平坦な側面を有する柱状であり、前記反射層が、前記平坦な側面に設けられていてもよい。
このようにすることで、光学部材の側面に反射層を形成する製造工程を簡略にすることができる。
【手続補正書】
【提出日】平成28年6月13日(2016.6.13)
【手続補正１】
【補正対象書類名】明細書
【補正対象項目名】００２６
【補正方法】変更
【補正の内容】
【００２６】
この一実施形態の電磁弁では、上記係止部は、上記アーム部と上記爪部とからなる組を複数有する。したがって、非作動時に、上記プランジャの上記他端を係止する強度が高まる。また、たとえ上記係止部を開放状態にしようとする変形の際に１本のアーム部が折れてしまったとしても、非作動時には、残りの組の上記アーム部と上記爪部とによって、上記プランジャの上記他端を係止することができる。
【手続補正２】
【補正対象書類名】図面
【補正対象項目名】図１
【補正方法】変更
【補正の内容】
【図１】
2015016069.tif 000001
【手続補正書】
【提出日】平成28年6月1日(2016.6.1)
【手続補正１】
【補正対象書類名】特許請求の範囲
【補正対象項目名】全文
【補正方法】変更
【補正の内容】
【特許請求の範囲】
【請求項１】
内部抽選の結果に基づいて通常遊技状態よりも有利な特定遊技状態を制御可能なスロットマシンであって、
特定演出に関するカウント値を管理する管理手段と、
前記内部抽選の結果に基づいて前記カウント値を変動させる制御を実行可能な変動手段と、
前記カウント値が特定値となること基づいて前記特定演出を終了させる演出終了手段と、
前記特定演出の終了に基づいて前記特定遊技状態に関する特定制御を実行可能な制御手段と、
を備え、
前記変動手段は、
前記内部抽選において特定当選役に当選した場合に前記カウント値を増加させる制御と、
前記内部抽選において前記特定当選役に当選しない場合に前記カウント値を減少させる制御と、
を実行可能とし、
前記制御手段は、前記カウント値が前記特定値となる前に所定条件を満たすことに基づいて前記特定制御を実行することが可能である
ことを特徴とするスロットマシン。
【請求項２】
内部抽選の結果に基づいて通常遊技状態よりも有利な特定遊技状態を制御可能なスロットマシンであって、
特定演出に関する第１カウント値と第２カウント値を管理する管理手段と、
前記内部抽選の結果に基づいて前記第１カウント値と前記２カウント値を変動させる制御を実行可能な変動手段と、
前記第１カウント値が第１特定値となる又は前記第２カウント値が第２特定値となることに基づいて前記特定演出を終了させる演出終了手段と、
前記特定演出の終了に基づいて前記特定遊技状態に関する特定制御を実行可能な制御手段と、
を備え、
前記変動手段は、
前記内部抽選において特定当選役に当選した場合に前記第１カウント値と前記第２カウント値を変動させる制御と、
前記内部抽選において前記特定当選役に当選しない場合に前記第２カウント値を変動させる制御と、
を実行可能とし、
前記制御手段は、
前記第１カウント値が前記第１特定値となって前記特定演出が終了することに基づいて前記特定制御を実行することが可能であり、
前記第２カウント値が前記第２特定値となって前記特定演出が終了することに基づいて前記特定制御を実行しないことが可能である
ことを特徴とするスロットマシン。
【請求項３】
複数の図柄を備えた複数のリールを、スタート操作に応じて回転させるとともに停止操作に応じて停止させ、停止表示された図柄の組合せに基づいて所定の遊技価値を付与し、
所定の条件が成立することにより前記遊技価値の付与が通常遊技状態よりも遊技者に有利となる特定遊技状態を実行するスロットマシンであって、
所定の演出表示を行う演出表示手段と、
前記演出表示手段における演出表示を制御して、所定のゲーム演出表示を行わせる演出制御手段と、を備え、
前記演出制御手段が、
前記演出表示手段に、第一のキャラクタ及び当該第一のキャラクタに関連付けられた第一キャラクタカウント値と、第二のキャラクタ及び当該第二のキャラクタに関連付けられた第二キャラクタカウント値とを表示させて、前記ゲーム演出表示を開始させ、前記第一又は第二キャラクタカウント値が所定の値になると当該ゲーム演出表示を終了させるゲーム演出表示制御部と、
前記スロットマシンで実行される抽選処理の結果、所定の小役に当選している場合には、前記第一キャラクタカウント値を変動させ、前記所定の小役に当選していない場合には、前記第二キャラクタカウント値を変動させるキャラクタカウント値変動部と、を備え、
前記第一キャラクタカウント値が所定の値となって前記ゲーム演出表示が終了すると、前記特定遊技状態を実行可能とすることを特徴とするスロットマシン。
【請求項４】
前記キャラクタカウント値変動部が、
前記リールの停止表示された図柄の組合せに基づいて、前記所定の小役に当選している場合には、前記第二キャラクタカウント値を初期値に戻す請求項３記載のスロットマシン。
【請求項５】
前記演出制御手段が、
前記演出表示手段に、前記所定の小役に連続して当選した回数を表示させる小役連続回数表示部を備え、
前記キャラクタカウント値変動部が、
前記小役に所定回数連続して当選すると、前記第一キャラクタカウント値を前記所定の値に変動させる請求項３又は４記載のスロットマシン。
【請求項６】
前記演出制御手段が、
前記演出表示手段に、前記所定の小役に当選している場合に変動される前記第一キャラクタカウント値の変動値を表示させるカウント変動値表示部を備える請求項３乃至５のいずれか一項記載のスロットマシン。
【請求項７】
前記演出制御手段が、
前記演出表示手段に、前記第一キャラクタカウント値及び第二キャラクタカウント値が変動する場合の説明を文字により表示させる説明表示部を備える請求項３乃至６のいずれか一項記載のスロットマシン。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
本発明は、遊技者の期待感等を維持させることができるスロットマシンの提供を目的とする。
【手続補正５】
【補正対象書類名】明細書
【補正対象項目名】００１２
【補正方法】変更
【補正の内容】
【００１２】
上記目的を達成するため、本発明のスロットマシンは、内部抽選の結果に基づいて通常遊技状態よりも有利な特定遊技状態を制御可能なスロットマシンであって、特定演出に関するカウント値を管理する管理手段と、前記内部抽選の結果に基づいて前記カウント値を変動させる制御を実行可能な変動手段と、前記カウント値が特定値となること基づいて前記特定演出を終了させる演出終了手段と、前記特定演出の終了に基づいて前記特定遊技状態に関する特定制御を実行可能な制御手段と、を備え、前記変動手段は、前記内部抽選において特定当選役に当選した場合に前記カウント値を増加させる制御と、前記内部抽選において前記特定当選役に当選しない場合に前記カウント値を減少させる制御と、を実行可能とし、前記制御手段は、前記カウント値が前記特定値となる前に所定条件を満たすことに基づいて前記特定制御を実行することが可能である構成としてある。
【手続補正６】
【補正対象書類名】明細書
【補正対象項目名】００１３
【補正方法】削除
【補正の内容】
【手続補正７】
【補正対象書類名】明細書
【補正対象項目名】０１００
【補正方法】削除
【補正の内容】
【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
照明光を出射する出射端を有する発光部と、
所定の軸を中心とする周方向に配置され、前記出射端から入射された前記照明光を拡散させながら導光するとともに表面から出射する拡散層と、
該拡散層の半径方向内側の表面に隣接して設けられ、前記照明光を半径方向外方へ反射する反射層とを備え、
前記拡散層が、前記照明光を導光する導光材と、該導光材に分散した状態で担持された拡散材とから成る照明装置。
【請求項２】
前記出射端の形状が、円形、楕円、多角形、または、扇形である請求項１に記載の照明装置。
【請求項３】
前記拡散層が、周方向の一部分を長手方向に切り欠いてなる切欠部を有する略筒状である請求項１または請求項２に記載の照明装置。
【請求項４】
前記周方向に配列される複数の前記拡散層を備え、
該各拡散層が、半径方向内側に平坦な側面を有する柱状であり、
前記反射層が、前記平坦な側面に設けられる請求項１または請求項２に記載の照明装置。
【請求項５】
前記拡散層が、リング形状を有する請求項１または請求項２に記載の照明装置。
【請求項６】
前記拡散層が、前記所定の軸を中心とする周方向に複数個に分割されており、
各前記拡散層が、略馬蹄形状を有する請求項３に記載の照明装置。
【請求項７】
前記拡散層は、該拡散層内部における前記拡散材の密度が、一様ではない請求項１から請求項６のいずれかに記載の照明装置。
【請求項８】
前記拡散層が、外周面と、該外周面から滑らかに連続するとともに先端側に向かって外径が漸次小さくなる錐状に形成される先端面とを有する請求項１から請求項７のいずれかに記載の照明装置。
【手続補正２】
【補正対象書類名】明細書
【補正対象項目名】０００６
【補正方法】変更
【補正の内容】
【０００６】
上記目的を達成するため、本発明は以下の手段を提供する。
本発明は、照明光を出射する出射端を有する発光部と、所定の軸を中心とする周方向に配置され、前記出射端から入射された前記照明光を拡散させながら導光するとともに表面から出射する拡散層と、該拡散層の半径方向内側の表面に隣接して設けられ、前記照明光を半径方向外方へ反射する反射層とを備え、前記拡散層が、前記照明光を導光する導光材と、該導光材に分散した状態で担持された拡散材とから成る照明装置を提供する。
【手続補正３】
【補正対象書類名】明細書
【補正対象項目名】００１１
【補正方法】変更
【補正の内容】
【００１１】
また、上記発明においては、前記周方向に配列される複数の前記拡散層を備え、該各拡散層が、半径方向内側に平坦な側面を有する柱状であり、前記反射層が、前記平坦な側面に設けられていてもよい。
このようにすることで、拡散層の側面に反射層を形成する製造工程を簡略にすることができる。
【手続補正４】
【補正対象書類名】明細書
【補正対象項目名】００４１
【補正方法】変更
【補正の内容】
【００４１】
本実施形態において、拡散層２３は、拡散層２に比べて観察光軸Ａ方向に小さい寸法を有するリング状である。拡散層２３のその他の構成および作用は、第１の実施形態の拡散層２と同様である。
拡散層２３の半径方向外側には、発光部１の出射端１ａから観察光軸Ａに平行に出射された照明光を拡散層２３の外周面に向かって９０°偏向する偏向プリズム４と、該偏向プリズム４の出射面と拡散層２３の外周面の一部とを接続する導光部材５とが備えられている。
【手続補正書】
【提出日】平成28年9月8日(2016.9.8)
【手続補正１】
【補正対象書類名】特許請求の範囲
【補正対象項目名】請求項１
【補正方法】変更
【補正の内容】
【請求項１】
所定の遊技が可能な遊技機であって、
遊技に関連した演出画像を表示可能な少なくとも３以上の表示装置と、
前記表示装置のうちの２つの表示装置を、離間した第１状態から該第１状態よりも近づいた第２状態に変更可能な配置状態変更手段と、
前記表示装置のそれぞれに異なる演出画像を表示する個別演出を実行する個別演出実行手段と、
前記配置状態変更手段により前記２つの表示装置が前記第２状態とされているときに、該第２状態の前記２つの表示装置を１の表示領域として特定演出画像を表示するとともに、該第２状態の前記２つの表示装置以外の表示装置に前記特定演出画像とは異なる演出画像を表示する特定演出を実行する特定演出実行手段と、
を備える
ことを特徴とする遊技機。
【手続補正２】
【補正対象書類名】明細書
【補正対象項目名】０００６
【補正方法】変更
【補正の内容】
【０００６】
前記課題を解決するために、本発明の請求項１に記載の遊技機は、
所定の遊技が可能な遊技機（例えば、パチンコ機１）であって、
遊技に関連した演出画像を表示可能な少なくとも３以上の表示装置（例えば、第１演出表示装置９、第２演出表示装置１０、第３演出表示装置１１）と、
前記表示装置のうちの２つの表示装置（例えば、第１演出表示装置９と第３演出表示装置１１）を、離間した第１状態（例えば、図３０に示すように、第１演出表示装置９と第３演出表示装置１１が離間する初期位置に配置されている状態）から該第１状態よりも近づいた第２状態（例えば、第１演出表示装置９と第３演出表示装置１１が上下方向で近接し、第２演出表示装置１０が第１演出表示装置９及び第３演出表示装置１１と離間する予告パターンＢに応じた位置に第１〜第３演出表示装置９，１０，１１が配置されている状態）に変更可能な配置状態変更手段（例えば、演出制御用ＣＰＵ８６が演出制御メイン処理において演出表示装置移動処理を実行する部分）と、
前記表示装置のそれぞれに異なる演出画像を表示する個別演出（例えば、図２１（Ｃ）に示す第１〜第３演出表示装置９，１０，１１にそれぞれ異なるキャラクタＡ〜Ｃを表示する演出）を実行する個別演出実行手段（例えば、演出制御用ＣＰＵ８６が演出表示装置移動処理において第１〜第３演出表示装置９，１０，１１を予告パターンＡに応じた位置に移動させた後に、変動中予告演出処理においてステップＳ５２０の処理を実行する）と、
前記配置状態変更手段により前記２つの表示装置が前記第２状態とされているときに、該第２状態の前記２つの表示装置を１の表示領域として特定演出画像（例えば、キャラクタＡとキャラクタＣとが２つの演出表示装置９，１１に亘って戦うバトル演出）を表示するとともに、該第２状態の前記２つの表示装置以外の表示装置に前記特定演出画像とは異なる演出画像（例えば、キャラクタＢの画像）を表示する特定演出（例えば、変動中予告演出）を実行する特定演出実行手段（例えば、演出制御用ＣＰＵ８６が演出制御メイン処理において演出表示装置移動処理を実行して第１〜第３演出表示装置９，１０，１１を予告パターンＢに応じた位置に移動させた後、演出図柄変動中処理においてステップＳ８６１を実行する部分）と、
を備える
ことを特徴としている。
この特徴によれば、２つの表示装置が近づいた状態とされているときに、該近づいた２つの表示装置を１の表示領域として特定演出画像が表示され、かつそれ以外の表示装置に特定演出画像とは異なる演出画像が表示されるので、演出が単調となってしまうことを防ぐことができ、遊技機の興趣を向上できる。
【手続補正３】
【補正対象書類名】明細書
【補正対象項目名】００１１
【補正方法】変更
【補正の内容】
【００１１】
本発明の手段４に記載の遊技機は、請求項１、請求項２、手段１〜手段３のいずれかに記載の遊技機であって、
前記表示装置の表示領域（例えば、第１液晶パネル９’、第２液晶パネル１０’、第３液晶パネル１１）、の周囲には該表示領域を囲むように複数の発光手段（例えば、周囲ＬＥＤ９’’，１０’’，１１’’）が配置されており、
前記第２状態または前記第４状態にある前記表示装置の表示領域を１の表示領域として前記特定演出が実行されるときに、該１の表示領域の周囲となる部位に配置されている前記発光手段のみを点灯（例えば、枠状に点灯）する発光制御手段（例えば、演出制御用ＣＰＵ８６が演出制御メイン処理の演出表示装置移動処理を実行することで、予告パターンに応じた位置または初期位置に移動した後の第１〜第３演出表示装置９，１０，１１の周囲ＬＥＤ９’’，１０’’，１１’’を点灯する部分）を備える
ことを特徴としている。
この特徴によれば、１の表示領域となる周囲の発光手段のみが発光するので、該発光により１の表示領域を認識し易くなるとともに、表示領域の一体感を高めることができる。
【手続補正４】
【補正対象書類名】明細書
【補正対象項目名】００１４
【補正方法】変更
【補正の内容】
【００１４】
本発明の手段７に記載の遊技機は、請求項１、請求項２、手段１〜手段６のいずれかに記載の遊技機であって、
前記表示装置（例えば、第１〜第３演出表示装置９，１０，１１）に表示される画像の画像データが読み出し可能に格納されるフレームバッファ（フレームバッファ領域として使用されるＳＤＲＡＭ２１０）を備え、
前記配置状態変更手段（例えば、演出制御用ＣＰＵ８６が、図１２に示す演出制御メイン処理において演出表示装置移動処理を実行する部分）は、複数のパターン（例えば、図２３に示す配置パターンＢ〜Ｅ）にて前記第２状態または前記第４状態に変更可能であって、
前記表示装置に表示される各画像の画像データを格納する各バッファ領域（例えば、第１演出表示装置９の第１描画領域、第２演出表示装置１０の第２描画領域、第３演出表示装置１１の第３描画領域）が前記フレームバッファ内に設定されて、該フレームバッファ内の共通の画像データを用いて前記表示装置に画像を表示し、前記各パターンに対応して前記各バッファ領域が前記フレームバッファ内に設定される（例えば、図２５に示すように、第１描画領域と第２描画領域と第３描画領域とが共通のフレームバッファに設定されている部分）
ことを特徴としている。
この特徴によれば、各表示装置のパターンが変更される度に、フレームバッファに描画された画像データを再描画する必要がなく、各パターンに対応して各バッファ領域のフレームバッファ内における配置位置を変更することによって、各表示装置に表示される画像を取得できるので、フレームバッファに対する描画回数を低減できる。
【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
症例に対応する入力情報を取得する取得手段と、
前記入力情報に基づいて前記症例に対応する診断名を特定するとともに該診断名の推論確率を得る推論手段と、
前記特定された診断名の推論確率に応じた支援情報を表示部に表示させる表示制御手段と、
を有することを特徴とする診断支援システム。
【請求項２】
前記特定された診断名に対し、前記入力情報の影響度を取得する影響度取得手段をさらに有し、
前記表示制御手段は、前記影響度に基づいて前記支援情報を表示させることを特徴とする請求項１に記載の診断支援システム。
【請求項３】
前記表示制御手段は、前記特定された診断名に対する推論確率が所定の基準よりも高い場合は、前記特定された診断名を肯定する影響度を有する情報を表示することを特徴とする請求項２に記載の診断支援システム。
【請求項４】
前記表示制御手段は、前記特定された診断名に対する推論確率が所定の基準よりも低いと判断した場合には、前記特定された診断名以外の診断名を否定する影響度を有する情報を表示することを特徴とする請求項２に記載の診断支援システム。
【請求項５】
前記表示制御手段は、前記特定された診断名に対する推論確率が所定の基準よりも低いと判断した場合には、前記特定された診断名を肯定し、かつ、前記特定された診断名以外の診断名を否定する影響度を有する情報を表示することを特徴とする請求項２に記載の診断支援システム。
【請求項６】
前記特定された診断名は、診断名に対する推論確率が最も高い診断名であることを特徴とする請求項１乃至５のいずれか１項に記載の診断支援システム。
【請求項７】
前記特定された診断名は、ユーザの指定によって特定されることを特徴とする請求項１乃至５のいずれか１項に記載の診断支援システム。
【請求項８】
前記所定の基準は、閾値であることを特徴とする請求項３乃至５のいずれか１項に記載の診断支援システム。
【請求項９】
症例に対応する入力情報を取得する取得工程と、
前記入力情報に基づいて前記症例に対応する診断名を特定するとともに該診断名の推論確率を得る推論工程と、
前記特定された診断名の推論確率に応じた支援情報を表示部に表示させる表示制御工程と、
を有することを特徴とする診断支援システムの制御方法。
【請求項１０】
請求項９に記載された診断支援システムの制御方法の各工程をコンピュータに実行させるためのプログラム。
【手続補正書】
【提出日】平成28年7月13日(2016.7.13)
【手続補正１】
【補正対象書類名】明細書
【補正対象項目名】０００３
【補正方法】変更
【補正の内容】
【０００３】
前記ワイヤソーとして、シリコンカーバイドやダイヤモンド等の砥粒が混合されたスラリを供給しながらワークを切断する遊離砥粒方式のワイヤソーと、ワイヤ表面にダイヤモンド等の砥粒が電着やレジン等で固定された固定砥粒ワイヤを用い、切断部近傍に水等の加工液を供給しながらワークを切断する固定砥粒方式のワイヤソーとが知られている。
【手続補正２】
【補正対象書類名】明細書
【補正対象項目名】００１１
【補正方法】変更
【補正の内容】
【００１１】
請求項１の発明は、ワイヤを複数本の溝ローラ間に巻き回すことにより形成されたワイヤ列と、前記ワイヤ列にワークを押し付けるワーク保持テーブルと、前記複数の溝ローラが一体に軸支された揺動ブロックとを備え、前記ワイヤ列に前記ワークを押し付けることにより該ワークを切断するワイヤソーであって、
前記揺動ブロックは、前記複数の溝ローラを一体に揺動円弧運動するように構成され、
前記ワーク保持テーブルは、前記ワークをワイヤ列に押し付ける昇降動と、前記ワークをワイヤ列のワイヤに沿って移動させる水平動とが自在に構成され、
前記揺動ブロックの揺動円弧運動に伴って、前記ワーク保持テーブルを切断部のワイヤの負荷が低減する方向に水平動させるようにした構成を採用したワイヤソーである。
【手続補正３】
【補正対象書類名】明細書
【補正対象項目名】００１２
【補正方法】変更
【補正の内容】
【００１２】
請求項２の発明は、ワイヤを一方向又は往復走行させるとともに、前記ワイヤを揺動円弧運動させながら、ワーク保持テーブルに保持されたワークを押し付けて該ワークを切断するワイヤソーでの切断加工方法であって、
前記ワイヤの揺動円弧運動に伴って、前記ワーク保持テーブルを切断部のワイヤの負荷が低減する方向に水平動させるようにした構成を採用した切断加工方法である。
【手続補正４】
【補正対象書類名】明細書
【補正対象項目名】００４８
【補正方法】変更
【補正の内容】
【００４８】
Ｗ    ワーク
Ｗａ  既切断部分
Ｗｂ  未切断部分
Ｗｃ  負荷部分
１    ワイヤソー
２    供給リール
３    回収リール
４    ワイヤ
５    トラバースプーリ
６    ガイドプーリ
７    テンションアーム
８    テンションローラ
９ａ  溝ローラ
９ｂ  溝ローラ
１０    テンションアーム
１１    テンションローラ
１２    ガイドローラ
１３    トラバースプーリ
１４    ロードセル
１５    ロードセル
２０    揺動ブロック
２１    駆動プーリ
２２    タイミングベルト
２３    モータ
２４    ベアリング
２５    機枠
２５ａ  モータ固定枠
２５ｂ  開口部
２６    支持枠
２７    揺動軸芯
２８    モータ
３０    ワーク保持機構
３１    ボールネジ
３２    支持枠
３３    モータ
３４    駆動プーリ
３５    従動プーリ
３６    ベルト
３７    レール
３８    支持ブロック
３８ａ  支持軸
３９    ナット部材
４０    スライダ
４１    昇降枠
４２    レール
４３    スライダ
４４    ワーク保持テーブル
４５    ナット部材
４６    ボールネジ
４７    ダミー部材
４８    モータ
５０ａ  溝ローラ
５０ｂ  溝ローラ
【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
画像中のエッジ部が無彩色であるか否かを判定する判定手段と、
無彩色であると判定された前記エッジ部を、無彩色の色材に対応する濃度のみを有するエッジ部に変換する第１の変換手段と、
無彩色であると判定された前記エッジ部に隣接する部分を、無彩色の色材に対応する濃度のみを有する部分に変換する第２の変換手段と、
を有することを特徴とする画像処理装置。
【請求項２】
前記画像から前記エッジ部を抽出する抽出手段を有することを特徴とする請求項１に記載の画像処理装置。
【請求項３】
前記抽出手段は、フィルタ処理を行うことで、前記エッジ部を抽出することを特徴とする請求項２に記載の画像処理装置。
【請求項４】
前記第２の変換手段は、前記抽出手段による抽出結果に基づいて、前記隣接する部分を特定し、当該特定された前記隣接する部分を変換することを特徴とする請求項２または３に記載の画像処理装置。
【請求項５】
前記抽出されたエッジ部が有彩色である場合、前記第１の変換手段は、前記変換を行わず、前記第２変換手段は、前記変換を行わないことを特徴とする請求項２乃至４の何れか１項に記載の画像処理装置。
【請求項６】
前記抽出されたエッジ部に対してエッジ強調処理を行う手段をさらに有することを特徴とする請求項２乃至５の何れか１項に記載の画像処理装置。
【請求項７】
画像中の画素がエッジ部の画素であるか否かを判定する第１の判定手段と、
前記画像中の画素が無彩色の画素であるか否かを判定する第２の判定手段と、
前記第１の判定手段の判定、および、前記第２の判定手段の判定に基づいて、エッジ部、且つ、無彩色の画素であると判定された画素を、無彩色の色材に対応する濃度のみを有する画素に変換する第１の変換手段と、
前記第１の判定手段の判定に基づいて、エッジ部、且つ、無彩色の画素であると判定された前記画素に隣接する画素を、無彩色の色材に対応する濃度のみを有する画素に変換する第２の変換手段と、
を有することを特徴とする画像処理装置。
【請求項８】
無彩色の色材とは、黒色の色材であることを特徴とする請求項１乃至７の何れか１項に記載の画像処理装置。
【請求項９】
前記画像は、複数の有彩色それぞれに対応するチャンネルを持つビットマップ画像であることを特徴とする請求項１乃至８の何れか１項に記載の画像処理装置。
【請求項１０】
画像中のエッジ部が無彩色であるか否かを判定する判定工程と、
無彩色であると判定された前記エッジ部を、無彩色の色材に対応する濃度のみを有するエッジ部に変換する第１の変換工程と、
無彩色であると判定された前記エッジ部に隣接する部分を、無彩色の色材に対応する濃度のみを有する部分に変換する第２の変換工程と、
を有することを特徴とする画像処理方法。
【請求項１１】
画像中の画素がエッジ部の画素であるか否かを判定する第１の判定工程と、
前記画像中の画素が無彩色の画素であるか否かを判定する第２の判定工程と、
前記第１の判定工程の判定、および、前記第２の判定工程の判定に基づいて、エッジ部、且つ、無彩色の画素であると判定された画素を、無彩色の色材に対応する濃度のみを有する画素に変換する第１の変換工程と、
前記第１の判定工程の判定に基づいて、エッジ部、且つ、無彩色の画素であると判定された前記画素に隣接する画素を、無彩色の色材に対応する濃度のみを有する画素に変換する第２の変換工程と、
を有することを特徴とする画像処理方法。
【請求項１２】
請求項１乃至９の何れか１項に記載の各手段としてコンピュータを機能させることを特徴とするプログラム。
【手続補正２】
【補正対象書類名】明細書
【補正対象項目名】０００８
【補正方法】変更
【補正の内容】
【０００８】
本発明の画像処理装置は、画像中のエッジ部が無彩色であるか否かを判定する判定手段と、無彩色であると判定された前記エッジ部を、無彩色の色材に対応する濃度のみを有するエッジ部に変換する第１の変換手段と、無彩色であると判定された前記エッジ部に隣接する部分を、無彩色の色材に対応する濃度のみを有する部分に変換する第２の変換手段と、を有することを特徴とする。
【手続補正３】
【補正対象書類名】明細書
【補正対象項目名】０００９
【補正方法】変更
【補正の内容】
【０００９】
本発明によれば、版ズレによる色にじみを抑制することができる。
【手続補正書】
【提出日】平成28年6月8日(2016.6.8)
【手続補正１】
【補正対象書類名】明細書
【補正対象項目名】００３１
【補正方法】変更
【補正の内容】
【００３１】
ダイ部材３、４の材料としては、上記の合金粉末をレーザ肉盛溶接することにより形成されたニッケル系合金またはコバルト系合金と熱膨張率の近い鋼材を用いることが好ましい。なお、粉末レーザ肉盛応接は母材に与える熱影響が少ないので、耐熱性の低い安価な構造用合金鋼例えばＳＣＭ４２０〜ＳＣＭ４３５を母材として用いても問題はない。なお、このような廉価な構造用合金鋼を用いることにより、硬質クロムメッキ処理が有効に生かされる。もちろん、必要に応じて母材鋼種は変更可能で、例えば、耐食性および硬度に優れたマルテンサイト系ステンレス鋼、具体的にはＳＵＳ４２０Ｊ２あるいはその類似鋼種などを、コスト高にはなるが、用いることもできる。なお、上記のＮｉ系合金およびＣｏ系合金の熱膨張率は概ね１０．５〜１２．５×１０−６／℃であり、上記した構造用合金鋼およびマルテンサイト系ステンレス鋼の熱膨張率に近いという点においても好ましい。
【手続補正２】
【補正対象書類名】明細書
【補正対象項目名】００３３
【補正方法】変更
【補正の内容】
【００３３】
まず、概ね最終形状と同じ形状の（すなわち最終形状から加工しろ分だけ大きい）ダイ部材４の素材４Ａ（以下「ダイ素材」と称する）を用意する。そして、図３（ａ）に示すように、このダイ素材４Ａの、リップ部９のエッジ部となる部分の近傍を面取り加工する（すなわち破線で示した部分を除去する）。このときの面取り量（寸法Ｃ１およびＣ２）は、４ｍｍ以下とすることが好ましい。この場合には、斜面４ａの幅は、［（４）２＋（４）２］１／２＝５．６ｍｍ以下ということになる。前述したように肉盛層幅Ｗ１を０．２〜１．７ｍｍの範囲内に、肉盛層幅Ｗ２を０．２〜２．４ｍｍの範囲内に設定するのであるなら、斜面４ａの幅は、［（０．２）２＋（０．２）２］１／２〜［（１．７）２＋（２．４）２］１／２、すなわち約０．２８ｍｍ〜約３ｍｍの範囲に設定するのがよい。
【手続補正３】
【補正対象書類名】明細書
【補正対象項目名】００４６
【補正方法】変更
【補正の内容】
【００４６】
レーザ肉盛溶接の具体的条件について以下に述べる。特に、Ｂ（硼素）が入っており硬質で高性能であるが溶融凝固時などに割れやすいとされるニッケル系合金粉末又はコバルト系合金のような材料においては、前記母材の表面に照射されるレーザの入射エネルギが、３０〜１５０Ｊ／ｍｍ２の範囲となるように前記レーザの照射強度を調整することが好ましい。入射エネルギが３０Ｊ／ｍｍ２よりも小さい場合には、熱量が不足するため粉末の溶融不足および母材との接合不足が発生しやすい。一方、入射エネルギが１５０Ｊ／ｍｍ２よりも大きい場合には、母材の最表面が過度に溶融して母材の成分元素、特にＦｅ（鉄）が肉盛層内に非常に多く拡散し、肉盛層の組成が金属粉末の組成と大きく異なってしまい、所望の特性が得られなくなる。さらに、溶融過多により凝固収縮の度合いが大きくなり割れが格段に発生しやすくなる。このとき母材を予熱しておくことで割れの確率を低減できる。もちろん、母材の変形、軟化を考慮すると、２５０℃を上限とすることが好ましい。
【手続補正４】
【補正対象書類名】明細書
【補正対象項目名】００４７
【補正方法】変更
【補正の内容】
【００４７】
好適な肉盛溶接条件として、レーザ出力１３００Ｗ、ノズル移動速度４８０ｍｍ／ｍｉｎ、入射エネルギ８６Ｊ／ｍｍ２が例示される。この条件下で上記（Ｎｉ系−１）の合金で硬質粒子径が平均０．６μｍの粉末（図６Ａ）を用いて肉盛層を形成したところ、肉盛層のエッジ部近傍において硬さは７４６Ｈｖを示しシャープエッジ加工がしやすい硬さが得られた。このときの肉盛層の硬質粒子粒径は最大で０．４μｍであった。また、ポロシティは最大で1μｍ程度であり、エッジに出現してもエッジＲと同程度で問題にならない大きさであった。ここで図６Ｃに、レーザ肉盛溶接により形成した前述したＮｉ系合金−１からなる硬質被覆層（肉盛層１０）の金属組織写真の写しを示す（粗大な硬質粒子がない）。上記のレーザの好適な入射エネルギ範囲から外れた範囲で、上記（Ｎｉ系−１）の合金を用いて肉盛層を形成した結果もあわせて述べる。レーザ出力８００Ｗ、ノズル移動速度２４０ｍｍ／ｍｉｎ、入射エネルギ１７２Ｊ／ｍｍ２の条件で溶接を行ったところ、肉盛層中のＦｅ含有量が３０％超となり、すなわちＦｅ（鉄）が肉盛層の主成分となってしまった。この場合、硬さは４５８Ｈｖ程度であり、また、肉盛層に割れが入る、肉盛層表層側に３０μｍ超のポロシティが発生する場合もあった。
【手続補正５】
【補正対象書類名】明細書
【補正対象項目名】００４８
【補正方法】変更
【補正の内容】
【００４８】
このときの肉盛層の硬質粒子粒径は２０μｍ超の粗大粒子が多く析出した。ここで図６Ｄに、レーザ肉盛溶接により形成した前述したＮｉ系合金−１からなる硬質被覆層（肉盛層１０）の金属組織写真の写しを示す（粗大な硬質粒子が確認できる）。当然のことながらこのような組成では、耐食性にも期待はできない。また、レーザ出力８００Ｗ、ノズル移動速度１４４０ｍｍ／ｍｉｎ、入射エネルギ２９Ｊ／ｍｍ２の条件で溶接を行ったところ、肉盛層深層部には巣、ブローホールなどの欠陥が多く現れ、さらに、溶融不足および接合不足であり仕上げ加工中に母材から脱落してしまった。
【手続補正書】
【提出日】平成28年7月5日(2016.7.5)
【手続補正１】
【補正対象書類名】特許請求の範囲
【補正対象項目名】全文
【補正方法】変更
【補正の内容】
【特許請求の範囲】
【請求項１】
透明な紫外線硬化接着剤を用いて物品の表面に装飾を施す装飾方法であって、
予め、所定の形状に形成した布を前記紫外線硬化接着剤に浸しておく工程と、
前記物品の表面に前記紫外線硬化接着剤を塗布する第一工程と、
前記第一工程で塗布された前記紫外線硬化接着剤上に、前記浸しておく工程で前記紫外線硬化接着剤に浸しておいた前記布を配する第二工程と、
前記第二工程で配された前記布の上に前記紫外線硬化接着剤を塗布することにより前記布を前記紫外線硬化接着剤で封止する第三工程と、
前記紫外線硬化接着剤に紫外線を照射して、前記紫外線硬化接着剤を硬化させる第四工程と、
を具備することを特徴とする装飾方法。
【請求項２】
前記浸しておく行程は、予め、所定の形状に形成した布を、所定の溶剤により薄めて粘度を下げた前記紫外線硬化接着剤に浸しておく工程であることを特徴とする請求項１記載の装飾方法。
【請求項３】
請求項１又は２の何れかの装飾方法で表面が装飾されたことを特徴とする物品。